Podtech/llm-jp-corpus-v4-ja_patent huggingface dataset:
(57)【要約】【課題】  納豆菌と二酸化炭素及び一酸化炭素を癌患部に浸透させ癌治療を行うことである。【解決手段】  注射器に納豆菌と二酸化炭素を入れ、体内の癌患部に注射し、患部に注射された納豆菌のナットウキナーゼにより癌細胞に取り巻く細菌を消滅させ、納豆菌がタンパク質の癌細胞を養分として吸収し、さらに光合成的役割として二酸化炭素を作用させ、納豆菌の成長繁殖力と癌細胞養分吸収力を高め、癌細胞を消滅させ、一酸化炭素を注射し一酸化炭素が癌細胞から酸素を奪い死滅化消滅させ、二酸化炭素に変わり前記二酸化炭素の作用により、さらに癌細胞を消滅させ、この課題の癌治療を解決する。【特許請求の範囲】
【請求項１】
納豆菌と二酸化炭素の入った注射器。
【請求項２】
納豆菌と一酸化炭素の入った注射器。
【請求項３】
納豆菌と一般空気の入った注射器。
【請求項４】
一酸化炭素の入った注射器。
【請求項５】
納豆菌類（納豆菌と同様の性質を持つもの）・二酸化炭素・一酸化炭素・一般空気・納豆菌キャリヤー（納豆等のタンパク質的養分）の組み合わせまたはその一部が入った注射器。
【発明の詳細な説明】
【技術分野】
【０００１】  本発明は、癌治療に関する利用分野である。
【技術背景】
【０００２】  従来の技術において、納豆菌と納豆菌を成長促進させる二酸化炭素の入った注射器により、納豆菌と二酸化炭素を人体に注射することで行う癌治療はなかった。
【発明の開示】
【発明が解決しようとする課題】
【０００３】  本発明が解決しようとする課題は、納豆菌と納豆菌を成長促進させる二酸化炭素を一般注射器・点滴注射器等の注射器で人体に注射し、癌患部に納豆菌を送り、肝細胞に付着する細菌を納豆キナーゼにより滅菌させ、癌細胞を成長に必要な養分とする納豆菌の成長を促進させるために二酸化炭素を送り込み、納豆菌を成長繁殖させることにより納豆菌の癌細胞吸収力を高め癌細胞を消滅させることにより癌治療を行うことである。
【課題を解決するための手段】
【０００４】  この発明では上記課題を解決するための手段として、納豆菌及び二酸化炭素を混合し、または納豆菌及び二酸化炭素を別々に注射器に入れ、人体の患部へ注射することにした。【０００５】  また、二酸化炭素の替わりに一酸化炭素を注射することで、一酸化炭素が二酸化炭素に変わるために癌細胞の酸素を奪い癌細胞を死滅化し弱らせ納豆菌の養分化を進め、さらに二酸化炭素になることで納豆菌の成長繁殖を促進し、納豆菌の癌細胞吸収力を高め癌細胞を消滅させることに結びついた。【０００６】  さらに、人体に注射された納豆菌が体内で増殖しやすいように、養分としてのキャリヤも同時に注射することにした。
【発明の効果】
【０００７】  この発明の効果は、体内に納豆菌を注射し、納豆菌のナットウキナーゼにより、癌細胞に取り巻く細菌を消滅させ、納豆菌に癌細胞を養分として吸収させ癌細胞を消滅させる効果がある。【０００８】  また、納豆菌に癌細胞を養分として吸収させるとき、植物の光合成的成長促進として二酸化炭素を作用させることにより、納豆菌の癌細胞吸収力を高め癌細胞を消滅させることである。【０００９】またさらに、単独で一酸化炭素を癌幹部へ注射し、一酸化炭素が二酸化炭素に変わるときに癌細胞の酸素を奪い癌細胞を死滅化し消滅させることである。【００１１】さらに最終的に、これらの効果を通じて癌治療へとつながることが最大の効果である。
【発明を実施するための最良の形態】
【００１０】  体内の癌患部で納豆菌が成長活動において癌細胞を吸収するように、まず納豆菌自体を注射し、前後に二酸化炭素・一酸化炭素・一般空気・納豆菌キャリヤー（納豆等のタンパク質）を注射することである。
【産業上の利用可能性】
【００１１】  納豆菌類は医療分野では存在性が薄く研究が進んでいないが、他の青かび菌等に比べて排他的繁殖力が強く、納豆菌が出す納豆キナーゼが青かび菌のもつペニシリナーゼ以上のすなわちペニシリン以上の効果をもたらし、さらに成長養分のタンパク質として癌細胞を吸収し、さらに光合成的役割として二酸化炭素を作用させることにより納豆菌の成長繁殖力と癌細胞吸収力を高めること及び一酸化炭素を注射する事により一酸化炭素が癌細胞から酸素を奪い死滅化させ、二酸化炭素に変わり前記二酸化炭素の役割を果たし癌細胞を消滅させ、癌治療としての産業上の利用可能性を有する。
(57)【要約】【課題】臭気の発生がなく、高品位が安定して得られる２，４−ビス（ｎ−オクチルチオメチル）−６−メチルフェノールの製造方法の提供。【解決手段】ｏ−クレゾール、パラホルムアルデヒド及びｎ−オクチルメルカプタンを環状第二級アミンの存在下に反応させる製造方法。【選択図】なし【特許請求の範囲】
【請求項１】
ｏ−クレゾール、パラホルムアルデヒド及びｎ−オクチルメルカプタンを環状第二級アミンの存在下に反応させることを特徴とする化１で表される２，４−ビス（ｎ−オクチルチオメチル）−６−メチルフェノールの製造方法。
【化１】
2009114160.tif 000003
【発明の詳細な説明】
【技術分野】
【０００１】  本発明はプラスチックス、エラストマー、鉱油および合成潤滑剤の酸化防止剤として使用される２，４−ビス（ｎ−オクチルチオメチル）−６−メチルフェノールの製造方法に関するものである。
【背景技術】
【０００２】  ２，１４−ビス（ｎ−オクチルチオメチル）−６−メチルフェノールの製造方法としては、ｏ−クレゾール、パラホルムアルデヒド及びｎ−オクチルメルカプタンをガス状のジメチルアミンの存在下で反応させる方法が知られている（特許文献１、２参照）。しかし、この方法ではジメチルアミンが低沸点（６℃）であるために反応系からの飛散による臭気の発生があり、品位も安定しないという問題があった。【０００３】
【特許文献１】特許第２５１４８２７号公報
【特許文献２】特開２００１−２３３８５２号公報
【発明の開示】
【発明が解決しようとする課題】
【０００４】  本発明が解決しようとする課題は上記従来技術の欠点に鑑み、臭気の発生がなく、高品位が安定して得られる２，４−ビス（ｎ−オクチルチオメチル）−６−メチルフェノールの製造方法を提供することである。
【課題を解決するための手段】
【０００５】  本発明者らは、上記課題を解決すべく鋭意検討した結果、本発明を完成するに至った。即ち、ｏ−クレゾール、パラホルムアルデヒド及びｎ−オクチルメルカプタンを環状第二級アミンの存在下で反応させることによって、化１で表される２，４−ビス（ｎ−オクチルチオメチル）−６−メチルフェノールを臭気の発生がなく、高品位で安定した収率で得られることを見出し、本発明を完成するに至ったものである。
【化１】
2009114160.tif 000002
【発明の効果】
【０００６】  本発明の方法によれば、臭気の発生がなく、安定した収率で２，４−ビス（ｎ−オクチルチオメチル）−６−メチルフェノールを高品位で得られ、工業的に極めて有利に製造することができる。
【発明を実施するための最良の形態】
【０００７】  本発明では環状の第二級アミンを触媒として使用する。ジメチルアミンよりも高沸点の直鎖状第二級アミンも検討したが、ジメチルアミンよりも触媒効果が劣る。環状第二級アミンの例としてはピロリジン、モルホリン、ピペリジン、ピペラジン、２−メチルピペリジン、３−メチルピペリジン、４−メチルピペリジン，２−メチルピロリジン、３−メチルピロリジン、アジリジン、２−メチルアジリジン、アゼチジン、イミダゾリジン、ピラゾリジン、ピロリン、イミダゾリン、ピラゾリン、インドリン、イソインドリン等があるが、ピロリジンが好ましい。ピロリジンの使用量としては原料であるｏ−クレゾールに対して０．１〜０．１５モル％が好ましい。【０００８】  本発明での反応温度としては１００〜１１０℃が好ましい。溶媒の存在下で反応を行うことも可能であるが、溶媒の不存在下で行うのが好ましい。反応時間は５〜６時間である。反応終了後、分液して水層を分離し、低沸蒸留を行って仕上げる。
【実施例】
【０００９】  以下、実施例によって本発明を詳細に説明するが、本発明がこれによって何等限定されるものでないことは勿論である。【００１０】実施例１
１ｌ四つ口フラスコの系内を窒素置換した後、ｎ−オクチルメルカプタン２６４．６ｇ（１．８１ｍｏｌ）、ｏ−クレゾール９７．３ｇ（０．９０ｍｏｌ）、８６％パラホルムアルデヒド７５．４ｇ（２．１６ｍｏｌ）を仕込み、２５〜３０℃を維持しながら、ピロリジン８．０ｇ（０．１１ｍｏｌ）を滴下する。滴下終了後１００℃まで昇温し、１００〜１１０℃で６時間後攪拌を行った。後攪拌終了後、１００℃以下まで冷却し、分液を行った。水洗後、低沸蒸留を行って、３７７．６ｇの２，４−ビス（ｎ−オクチルチオメチル）−６−メチルフェノールを得た。収率９８．８％、含有量（ＬＣ面百値）は９８．３％であった。
冷却コンデンサーの先に、空、硫酸、次亜塩素酸ソーダ水溶液の３台のトラップを設置し、後攪拌中の脱臭の効果を臭気センサー（神栄株式会社製：ＯＭＸ−ＳＲ）で測定し数値化したところ、次亜塩素酸ソーダトラップでは５０以下まで脱臭され、臭気についても問題ないことが確認された。冷却コンデンサーの先（トラップなしの状態）では２００であった。
注）数値の目安
５０：臭いに敏感な人が気づく程度
１００：多くの人間が近くに臭い源があると気づく程度【００１１】比較例１
ピロリジン８．０ｇ（０．１１ｍｏｌ）をジメチルアミンガス８．１ｇ（０．１８ｍｏｌ）にした以外は実施例１と同様に行い、３６８．９ｇの２，４−ビス（ｎ−オクチルチオメチル）−６−メチルフェノールを得た。収率９６．５％、含有量（ＬＣ面百率）は９６．３％であった。臭気は次亜塩素酸ソーダトラップでは１５０、トラップなしの状態では１０００以上であった。【００１２】比較例２
ピロリジン８．０ｇ（０．１１ｍｏｌ）をジブチルアミン３４．９ｇ（０．２７ｍｏｌ）にした以外は実施例１と同様に行い、３４２．９ｇの２，４−ビス（ｎ−オクチルチオメチル）−６−メチルフェノールを得た。収率８９．７％、含有量（ＬＣ面百率）は７４．６％であった。
(57)【要約】【課題】網目が膨潤する天然、合成繊維及びプラスチックで出来た糸で構成された網目は  膨潤する事により水滴を防ぐと同時に、網目の構成により風を通した網目の下流で湿度  コントロールする事が出来る。【解決手段】  網目を構成する素材の膨潤状態により雨風を止めたり流したりも出来る。網目を網戸で  使用する場合は網目を細かくし膨潤により雨の降りこみを防ぐ。  又網目を荒くし風を通すように使用すれば網目の下流側の湿度を上げる事が出来る。【選択図】図１
2009114569.tif 000002
【特許請求の範囲】
【請求項１】
網目を構成している素材（天然、合成繊維及びプラスチックの糸）が水を吸収し膨潤する網目。
【発明の詳細な説明】
【技術分野】
【０００１】
本発明は網目を構成する糸（天然、合成繊維およびプラスチックで出来ている）が水で膨潤する事により網目を狭くしたり、網目を通過する風に膨潤した水によって風の下流側を加湿する効果を持つ網目を持った網目に関するものである。
【背景技術】
【０００２】
網戸は本来風を通し虫を室内に入れないなどの目的で快適な生活を送る為使用されるが、雨が降ると雨が吹き込み室内を濡らしてしまう事があり、特に外出する際には窓を閉めて行かねばならなかった。雨水が掛かると膨潤する網目素材で網目を構成すれば、素材（糸）が膨潤する事により網目を狭くし雨の降込みを防ぐ事が出来る。
【０００３】
さらに網目を構成する素材（糸）に撥水作用のある物質を塗ったり含侵させておけば、さらに効果が上がる事が期待出来る。
しかしただ単純に網目を構成する素材に撥水作用のある物質を塗ったり含侵させただけでは、雨の降込みを防ぐ大きな効果は期待出来ない。
【特許文献１】特開２００１−０８９６００号公報
【０００４】
また水で膨潤する網目に風を通すことにより、網目を通過した風を加湿することが可能である。この場合あまり網目を狭くしないで風が良く通る方が効果が高い。
【発明の開示】
【発明が解決しようとする課題】
【０００５】
解決しようとする問題点は網戸の網目を構成する素材は、雨の降りこみを防ぐ事が出来ない点である。
【０００６】
解決しようとする問題点は、エアコンの加湿装置は大規模な機器を必要とした。
【課題を解決するための手段】
【０００７】
本発明は、網目を構成する素材が最近の技術革新で水を大量に吸い膨潤する天然、合成繊維あるいはプラスチックの糸で出来ている事による。
【発明の効果】
【０００８】
雨水で網目が濡れていない時は糸が膨潤していないので、良く風を通す事が出来る。又網目で湿度を与える場合は非常に安価に最良の効果を期待する事が出来る。
【発明を実施するための最良の形態】
【０００９】
網目を構成する水で膨潤する素材の糸（天然、合成繊維あるいはプラスチック製）は最近大変進化しておりそれぞれ特徴を有している。水に接触すると速やかに吸収膨潤し繊維の直径が１２倍にもなり強度が殆ど変化しない。さらに膨潤は直径方向にのみ膨らむ繊維も出てきている。
【実施例１】
【００１０】
吸水膨潤度の高い糸に引っ張り強度の強い糸を互いに編み合わせる事で、より使用に耐える網目素材を製作する事が出来る。又糸に酸化チタン等の加工が施されていると消臭抗菌効果が期待出来る。
【００１１】
網目を構成する水で膨潤する素材の糸（天然、合成繊維あるいはプラスチック製）に風を通す事により網目下流で湿度が上昇する。膨潤する素材の糸に流れる水の量をコントロールすることにより湿度調節が可能となる。
【００１２】
網目の編み方は図１の様に縦、横に対し平方の編み方も良いが、図２の様に斜めの編み方は水滴を速やかに広げる為には良い方法である。
【産業上の利用可能性】
【００１３】
本発明は網目を構成する糸（天然、合成繊維およびプラスチックで出来ている）が水で膨潤する事により網目を狭くしたり、網目を通過する風に膨潤した水によって風の下流側を加湿する効果を持つ網目を持った網目に関するものであって、風を通し虫を室内に入れないことや快適な生活を送ることができる網戸に使用されるものであり、かつ加湿する効果を持つ網目により、エアコンの加湿装置に使用されるものである。
【図面の簡単な説明】
【００１４】
【図１】本発明の実施形態を示す網目をしめす腰部拡大図である。
【図２】本発明の他の実施形態を示す網目をしめす腰部拡大図である。
【図１】
2009114569.tif 000003
【図２】
2009114569.tif 000004
(57)【要約】【課題】本発明は木造家屋等における柱等に対する白蟻防止方法に関する。【解決手段】コンクリート基礎１０の上に載置の木製土台１をゴムで覆って白蟻による被害を防止する。【選択図】図１
2009114648.tif 000002
【特許請求の範囲】
【請求項１】
コンクリート基礎の上に載置の木製土台と、この木製土台に木製支柱を立設してなる木造家屋において、
前記木製土台をゴムで覆うことを特徴とする白蟻防止法。
【請求項２】
木製支柱の床下箇所をゴムで覆うことを特徴とする請求項１の白蟻防止法。
【請求項３】
ゴムの筒体で木製土台と木製支柱に覆うことを特徴とする請求項１または請求項２の白蟻防止法。
【請求項４】
断面コ字状でゴムの覆い体で木製土台を覆うことを特徴とする請求項１から請求項３のいずれか１項の白蟻防止法。
【発明の詳細な説明】
【技術分野】
【０００１】
本発明は、木造家屋等における柱等に対する白蟻防止方法に関する。
【背景技術】
【０００２】
従来、木造家屋等の一般住宅は、コンクリート基礎の上に木製土台が載置されている。また、その土台には複数の柱が立設されている。
そして、この様な建物における白蟻対策は、特開平７−２１７００９号公報等に開示してあり、床下の土壌に防虫効果を有する薬剤を散布するとか、土台に防虫効果を有する薬剤を加圧注入するとか等、防虫処理が施されている。
【０００３】
【特許文献１】特開平７−２１７００９号公報
【発明の開示】
【発明が解決しようとする課題】
【０００４】
前記従来の防虫処理は、薬剤を使用するものであり、薬剤を使用しない防虫方法が望まれている。
そこで、本願発明では、かかる薬剤を使用しない防虫方法を提示するものである。
【課題を解決するための手段】
【０００５】
請求項１の白蟻防止法は、コンクリート基礎の上に載置の木製土台と、この木製土台に木製支柱を立設してなる木造家屋において、木製土台をゴムで覆うものであり、このゴムによって、白蟻は近付かない。
また、請求項２の白蟻防止法は、木製支柱の床下箇所をゴムで覆うものであり、白蟻が群がる箇所をゴムで覆うことによって白蟻による被害を防止する。
【０００６】
また、請求項３の白蟻防止法は、ゴムの筒体で木製土台と木製支柱に覆うものであり、筒体を装着することによって、ゴムで覆うことが出来るので簡便な作業で済む。
また、請求項４の白蟻防止法は、断面コ字状でゴムの覆い体で木製土台を覆うものであり、接着剤等で容易に取り付けることができる。
【発明の効果】
【０００７】
本願の発明は、木製の土台や支柱を白蟻による被害を防止することができる。
【発明を実施するための最良の形態】
【０００８】
本発明を実施するための最良の形態について、実施例に従って説明する。
図１（Ａ）は木造家屋の概念断面図であり、コンクリート製の土台１０の上に、木製土台１が載置してある。また、前記木製土台１には、各々所定の位置に、木製の支柱２が立設してある。この様に、木造家屋は、木製の土台１、支柱２等を構築することによって作成される。
【０００９】
木造家屋は、木製土台等に白蟻が群がり、木製土台が侵食されるため、本願では、下記の要領で、前記木製土台等の外周をゴムで覆う。尚、ゴムには天然、合成軟質ゴムが有り、いずれのゴムも白蟻は近付かない習性がある。
【００１０】
また、前記木製土台等の外周をゴムで覆うに当たって、予め、厚み５〜６ｍｍのゴムで、前記土台や柱等の断面より僅かに大きな内径の筒体３を押し出し成形等で作成しておく（図１（Ｂ））。また、木製土台１用として、上面と両側面を覆うことができるコ字状で、厚み５〜６ｍｍのゴムで、覆い体５を押し出し成形で作成しておくか（図１（Ｂ））、或いは、厚み５〜６ｍｍのゴムでゴムシートを成形して作成しておく。このゴムシート（図示略）は、前記成形品で覆うことができない箇所に使用するためである。
【００１１】
次に、予め作成のゴムの筒体３とコ字状の覆い体５とゴムシートを用いて、木製土台等を覆う方法について説明する。
（１）木製土台１には、支柱２を立設する箇所が有り、この箇所のゴムを取り除く必要が有る。そこで、木製土台１に使用する前記筒体３や前記覆い体５において、予め係る箇所のゴムを切除する。
（２）木製土台の全面を覆う
木製土台１の全面を覆う場合には、前記木製土台１の断面径より僅かに大きな内径のゴムの筒体３を、前記木製土台１の端部から、挿入し、他端部に於て前記ゴムの筒体１を切断する。
木製土台１は、前記支柱２が立設される箇所を除いて、ゴムで全面を覆われた状態になり、この木製土台１をコンクリート製の基礎１０に載置する。
【００１２】
（３）木製土台の上面と両側面を覆う
木製土台１の上面と両側面を覆う場合には、前記厚み５〜６ｍｍのゴムで作成の断面コ字状の覆い体５を使用する。この覆い体５の内面に両面テープを貼るか、或いは接着剤を塗布し、木製土台１の上から被せて固着する。この場合、コンクリートの基礎１０と接する木製土台１の裏面にはゴムが貼ってないが、ゴムを嫌う白蟻のため、この様な木製土台１であっても白蟻を近付かせない。
【００１３】
（４）次に、支柱２に対する防止作について説明すると、予め作成された支柱の断面径より僅かに大きなゴムの筒体３を所定の長さに切断する。この所定の長さは、木製土台１を加味した床下の長さであり、通常１５０ｍｍ程度である。即ち、床下における支柱２をゴムで覆う。
そして、前記切断された筒体３を支柱２の端部から、少し離れた位置まで挿入する。そして、支柱２を前記木製土台１に立てた後に、木製土台１を覆うゴムと筒体３のゴムとの隙間がないように前記筒体３を木製土台１まで下げる。
（５）以上の作業によって、木製土台１と床下の木製支柱２はゴムで覆われた状態になり、直接、白蟻は木製土台や木製支柱に接触できない。そして、白蟻はゴムを嫌う習性が有るので、白蟻による侵食を防止できる。
【００１４】
尚、前記木製２支柱には、筒体３を使用する例示を示したが、覆い体５或いはゴムシートを使用してもよい。即ち、本願発明は、適宜、筒体３、覆い体５或いはゴムシートを使用して、白蟻が群れる箇所を覆うことによって、白蟻により被害を防止することができる。
【図面の簡単な説明】
【００１５】
【図１】（Ａ）は木造家屋の概念断面図、（Ｂ）はゴム製の筒体とゴム製覆い体を示す図である。
【符号の説明】
【００１６】
１  木製土台
２  支柱
３  筒体
５  覆い体
１０  コンクリート製の基礎                                                                                    
【図１】
2009114648.tif 000003
(57)【要約】【課題】海やプールにおいて、水着を着用したままでトイレを利用する際、水着が濡れているとき、水着が身体に密着するため、水着の脱ぎ着は、特にハンディキャップを持つ人にとっては、大変困難である。  これを解決するために、股間開閉式水着を提供する。【解決手段】水着の前身ごろ（１）に、前身ごろ補強用芯地（３）を設ける。  水着の前身ごろ（１）に、ゴム板収納袋（５）に安定用ゴム板（６）を入れ設ける。  水着の前身ごろ（１）の最下部分に約１０ｍｍ巾ゴムテープ（７）を設ける。  水着の前身ごろ（１）に、カラースナップボタン（凸）（８）を設ける。  水着の後ろ身ごろ（２）に、後ろ身ごろ補強用芯地（４）を設ける。  水着の後ろ身ごろ（２）に、カラースナップボタン（凹）（８）を設ける。  水着の後ろ身ごろ裏地（９）に、約１０ｍｍ巾ゴムテープ（７）を設ける。  水着の股間部分を前身ごろと、後ろ身ごろとに離し、スナップボタンで止め合わせ、安定用ゴム板で安定させる。【選択図】図１
2009114606.tif 000002
【特許請求の範囲】
【請求項１】
水着の前身ごろ（１）に、前身ごろ補強用芯地（３）を設ける。
水着の前身ごろ（１）に、ゴム板収納袋（５）に安定用ゴム板（６）を入れ設ける。
水着の前身ごろ（１）の最下部分に約１０ｍｍ巾ゴムテープ（７）を設ける。
水着の前身ごろ（１）に、カラースナップボタン（凸）（８）を設ける。
水着の後ろ身ごろ（２）に、後ろ身ごろ補強用芯地（４）を設ける。
水着の後ろ身ごろ（２）に、カラースナップボタン（凹）（８）を設ける。
水着の後ろ身ごろ裏地（９）に、約１０ｍｍ巾ゴムテープ（７）を設ける。
水着の股間部分を開きカラースナップボタン（８）で止め、安定用ゴム板（６）で安定させる。
以上のように構成された股間開閉式の水着。
【発明の詳細な説明】
【技術分野】
【０００１】  この発明は、股間開閉式の水着に関するもので、海やプールにおいて、水着を着用後、濡れた水着を脱ぎ着することは大変であった。
そこで、水着が濡れた状態時、脱ぎ着しなくてもトイレが利用できるように工夫した股間開閉式の水着に関するものである。
【背景技術】
【０００２】  従来、海やプールにおいて、水着を着用したままで、トイレを利用する際、特に水着が濡れているとき、水着が身体に密着しているため、大変困難であった。
【発明が解決しようとする課題】
【０００３】  これは次のような欠点があった。
（イ）水着を着用したままで、トイレを利用しようとした際、濡れた水着を脱ぐと、肌に密着しているため、再び着用することが大変困難であった。
（ロ）無理に引き上げると生地が破れることもあった。
本発明は、以上のような欠点をなくすためになされたものである。
【課題を解決するための手段】
【０００４】  水着の前身ごろ（１）に、前身ごろ補強用芯地（３）を設ける。
水着の前身ごろ（１）に、ゴム板収納袋（５）に安定用ゴム板（６）を入れ設ける。
水着の前身ごろ（１）の最下部分に約１０ｍｍ巾のゴムテープ（７）を設ける。
水着の前身ごろ（１）に、カラースナップボタン（凸）（８）を設ける。
水着の後ろ身ごろ（２）に、後ろ身ごろ補強用芯地（４）を設ける。
水着の後ろ身ごろ（２）に、カラースナップボタン（凹）（８）を設ける。
水着の後ろ身ごろ裏地（９）に、約１０ｍｍ巾のゴムテープ（７）を設ける。
水着の股間部分を開き、スナップボタンで止めゴム板で安定させる。
本発明は、以上の構成よりなる股間開閉式水着である。
本発明を使用する場合は、水着の股間部分を閉めた状態で装着する。
トイレを利用する場合は、スナップボタンに爪を挟み込むようにし、無理に引っ張らないでスナップボタンを開ける。
水着の股間部分を閉じる時は、水着の後ろ身ごろの最下部分を身体の前側に持ち上げ、水着の前身ごろの最下部分をかぶせるようにして、水着の前身ごろの上側のスナップボタンから止める。
【発明の効果】
【０００５】  （イ）水着が濡れていると体にまとわりつき脱ぎ着しにくい。
（ロ）この股間開閉式の水着は、健常者及び、特にハンディキャップ（身体障害）を持つ人にも、脱がずにトイレがスピーディーにでき、安心感が得られる。
【発明を実施するための最良の形態】
【０００６】  以下、本発明を実施するための最良の形態について説明する。
水着の前身ごろ（１）に、前身ごろ補強用芯地（３）を設ける。
補強用芯地を設けた水着の前身ごろ（１）に、ゴム板収納袋（５）に安定用ゴム板（６）を入れ、補強用芯地を設けた水着の前身ごろ（１）に設ける。
水着の前身ごろ（１）の最下部分に約１０ｍｍ巾・厚さ約０．３ｍｍのゴムテープ（７）を設ける。
水着の前身ごろ（１）に、最後にカラースナップボタン（凸）（８）を設ける。
水着の後ろ身ごろ（２）に、後ろ身ごろ補強用芯地（４）を設ける。
補強用芯地を設けた水着の後ろ身ごろ（２）に、カラースナップボタン（凹）（８）を設ける。
水着の後ろ身ごろ裏地（９）に、約１０ｍｍ巾・厚さ約０．３ｍｍのゴムテープ（７）を設ける。
水着の後ろ身ごろ裏地（９）で、水着の後ろ身ごろのスナップボタン（凹）（８）の裏側を、隠す。
水着の前身ごろ（１）と、水着の後ろ身ごろ（２）の股間部分を縫い合わせない。
水着の後ろ身ごろ股間部分を長くし、水着の前身ごろ先端部分をかぶせ、カラースナップボタンで左右２箇所ずつ（計４個）で止める。
前身ごろ先端が浮き上がらないために約１０ｍｍ巾・厚さ約１ｍｍの安定用ゴム板（６）を前身ごろの先端に挟み込むことで安定させる。
【図面の簡単な説明】
【０００７】
【図１】本発明の着用時の説明図である。
【図２】本発明の前身ごろ股間部分の展開図である。
【図３】補強用芯地をつけた前身ごろ股間部分に、安定用ゴム板を入れた収納袋をとりつけた説明図である。
【図４】要部の説明図である。
【図５】前身ごろ股間部分に、カラースナップボタン（凸）を取り付けた図である。
【図６】本発明の後ろ身ごろ股間部分の展開図である。
【図７】補強用芯地をつけた後ろ身ごろの股間部分に、カラースナップボタンを取り付けた図である。
【図８】後ろ身ごろ股間部分の、裏地の展開図である。
【符号の説明】
【０００８】１  前身ごろ
２  後ろ身ごろ
３  前身ごろ補強用芯地
４  後ろ身ごろ補強用芯地
５  ゴム板収納袋
６  安定用ゴム板
７  ゴムテープ
８  カラースナップボタン
９  後ろ身ごろ裏地
【図１】
2009114606.tif 000003
【図２】
2009114606.tif 000004
【図３】
2009114606.tif 000005
【図４】
2009114606.tif 000006
【図５】
2009114606.tif 000007
【図６】
2009114606.tif 000008
【図７】
2009114606.tif 000009
【図８】
2009114606.tif 000010
(57)【要約】【課題】  カードを用いて織り巾を変更できる製造方法を提供する。【解決手段】  多数枚の板状のカード（３）を平行に並べて立設しこのカード（３）の各角に穴（３１）を設け、この穴（３１）に１本〜複数本の経糸（２）を通し、この経糸（２）を、上方を粗く下方を細かく、又は上方を細かく下方を粗くした櫛目を有する筬（４）に通して引き揃え、上記、多数枚のカード（３）を、平行に並べたまま回転させて経糸（２）の位置を変更しつつ、この筬（４）を上下に移動させながら、筬（４）を通過した経糸（２）に横糸（５）を通して織物を形成させることを特徴とする、織巾を変更出来る織物の製造方法、及びこの製造方法で織った織物（１）。【選択図】図１
2009114608.tif 000002
【特許請求の範囲】
【請求項１】
多数枚の板状のカード（３）を平行に並べて立設し
このカード（３）の各角に穴（３１）を設け、この穴（３１）に１本〜複数本の経糸（２）を通し、この経糸（２）を、上方を粗く下方を細かくした
又は上方を細かく下方を粗くした櫛目を有する筬（４）に通して引き揃え、上記、多数枚のカード（３）を、平行に並べたまま回転させて経糸（２）の位置を変更しつつ、この筬（４）を上下に移動させながら、筬（４）を通過した経糸（２）に横糸（５）を通して織物を形成させることを特徴とする、織巾を変更出来る織物の製造方法、及びこの製造方法で織った織物（１）。
【発明の詳細な説明】
【技術分野】
【０００１】  多角形状板を用いた織物の製造方法、及びその織物であって、織れる製品の織を変更できる方法に関する。
【背景技術】
【０００２】  古代より、北欧、東南アジアなどの伝統的技法としてカード織は存在していたが、今日では手芸的に趣味等一部残っているのみであり、伝統的に伝えられている技法では織物の巾を任意に変更する方法は知られていなかった。【０００３】
【非特許文献】「紐を織る・スカンジナビアの暮らしに生きるバンド織りとカード織り」（美術出版社  新技法シリーズ７８  １９７８年  山梨幹子薯）
【発明の開示】
【発明が解決しようとする課題】
【０００４】  従来の技法では細い幅の紐状の生地は織れても、ネクタイの様に幅が広くなったり細くなったりする生地を、安定した幅の確保や生地の風合い等を保持しながら製織する事は困難であった。
【課題を解決するための手段】
【０００５】本発明はこの課題を解決するためになされたものであり、本発明の織巾を変更出来る織物の製造方法、及びこの製造方法で織った
織物１は、多数枚の板状のカード３を平行に並べて立設しこのカード３の各角に穴３１を設け、この穴３１に１本〜複数本の経糸２を通し、この経糸２を上方を粗く下方を細かくした、又は上方を細かく下方を粗くした櫛目を有する筬４に通して引き揃え、上記、多数枚のカード３を、平行に並べたまま回転させて経糸２の位置を変更しつつ、この筬４を上下に移動させながら、筬４を通過した経糸２に横糸５を通して織物を形成させることを特徴とする。【０００６】  本発明で用いる多角形の板状のカード３としては、三角、四角、五角形などが挙げられ、目的とする製品の模様などにより選べば良く、  カード３の枚数は、例えばネクタイ等を織る場合には３０〜６０枚位が適している。【０００７】  本発明で用いる筬４は、上方を粗く下方を細かくした、又は上方を細かく下方を粗くなっている事が必要である。
筬４の位置を上下に移動させながら織り進むことにより織り巾を調節できるのである。
【発明の効果】
【０００８】  本発明の方法によれば、幅の拡大縮小を自由に安定させて製織する事が可能となる。
【発明を実施するための最良の形態】
【実施例】
【０００９】  本発明の実施の例を図１を用いて説明する。【００１０】  本実施例では用いる多角形状板のカード３として、一辺が７．５ｃｍで各々、四つの角に約５ｍｍの穴３１を有するアクリル板を用いこれを５０枚並行に揃えて並べた。【００１１】  経糸２として、絹糸（２１／３６諸）５０本を用い、一枚のカード３の四ヶ所の穴３１のうち、二ヶ所の穴３１には３本ずつ、他の二ヶ所の穴３１には２本ずつ合計１０本の経糸２を通し、この５００本を巻取り機（図示せず）にかけて前後に張力をかけた。【００１２】  穴３１に経糸２を通す方向はカード３の左側から右側、又は右側から左側は任意であるが、所望する柄により通す方向を選択する。【００１３】  横糸５として  絹糸（２１／３６諸）を３本合せて１本として使用した。【００１４】  筬４は  上下の高さ４４が１６ｃｍ、上辺４２が１０ｃｍ、下辺４１は２．５ｃｍで、その中に櫛目４３を３５枚有し、その櫛目４３を扇状に配したものを用いて、この櫛目４３に５００本の経糸２をほぼ同じ本数になるように通過させた。【００１５】  次に実施した織り方を図２を用いて説明する。【００１６】  上記のように５００本の経糸を引き揃え張力をかけた後、カード３を９０度前転させて引き揃え、経糸２に開口部６を形成させ、この開口部６に  横糸５を一越通し、筬４の最上部にて横糸５を打ち込んだ。
この作業を４回繰り返した後、今度はカード３を９０度後転させ、横糸５を一越通し、筬４の最上部にて横糸５を打ち込んだ。【００１７】  そして織り巾を広い巾から狭い巾に変える時は筬４を上方へ移動させながら織っていき、狭い巾から広い巾に変更する時は筬４の下部から織り始め、筬４を下方へ移動させながら織っていった。
こうして織物の巾を３ｃｍから１０ｃｍに変化させることが出来た。【００１８】  カード３を回転させる数と回転方向を変更する事により、織れる模様が千変万化するのである。
【産業上の利用可能性】
【００１９】  織巾を可変できるので、ネクタイに限らず多方面の製品の製造に利用することが可能である。
【図面の簡単な説明】
【図１】  本説明の製造方法を示す説明図
【図２】  図１を横から見たときの説明図
【符号の説明】
１      織物
２      経糸
３      カード
３１    穴
４      筬
４１    筬４における櫛目４３の下辺
４２    筬４における櫛目４３の上辺
４３    櫛目
４４    筬４の高さ
５      横糸
６      開口部
【図１】
2009114608.tif 000003
【図２】
2009114608.tif 000004
(57)【要約】【課題】  本発明の手袋は、人差指以外の怪我、またはアレルギー体質の人、中性洗剤かぶれの人に、抵抗なく使ってもらえるように工夫した手袋である。  同時に、たとえば、料理人は、つねに包丁を使うため、従来の料理用の手袋では包丁が使いづらく、人差指１本分取っただけで、従来通り、千切りなど、自由自在に包丁が使えるように工夫した手袋を提供する。【解決手段】  手袋本体の人差指を切り取り、切り取り部を設け、開口部の周囲に水漏れしないように伸縮性のあるゴムを設け、手首の開口部の周囲にも同じように水漏れしないように伸縮性のあるゴムを設けたことを特徴とする手袋。【選択図】図１
2009114605.tif 000002
【特許請求の範囲】
【請求項１】
手袋において、手袋本体の人差指を切り取り、切り取り部を設け、開口部の周囲に水漏れしないように伸縮性のあるゴムを設け、手首の開口部の周囲にも同じように水漏れしないように伸縮性のあるゴムを設けたことを特徴とする手袋。
【発明の詳細な説明】
【技術分野】
【０００１】  本発明の手袋は、人差指以外の怪我、またはアレルギー体質の人、中性洗剤かぶれの人に、抵抗なく使ってもらえるように工夫した手袋である。
同時に、たとえば、料理人は、常に包丁を使うため、従来の料理用の手袋では包丁が使いづらく、人差指１本分取っただけで、従来通り、千切りなど、自由自在に包丁が使えるように工夫した手袋に関するものである。
【背景技術】
【０００２】  従来の手袋では、水が入り、ほとんど仕事にならず、特に洗剤かぶれの指の間の肌荒れなどには水作業は最悪であった。
たとえば、料理人は、修業をするとき、始めの頃は、慣れていないため包丁で、手を切ることが多かった。
そいうとき、現在ある手袋では、包丁を使うどころか水も使えなかった。
【発明が解決しようとする課題】
【０００３】  そのために、次のような問題点があった。
たとえば、料理人は、アレルギー体質、洗浄かぶれ、怪我でも仕事に従事しなければならないため、衛生的にも良くなく、また身体的にも早急に治療しなければならなかった。
本発明は、これらの問題点を解決するためになされたものである。
【課題を解決するための手段】
【０００４】  手袋本体の人差指を切り取り、切り取り部を設ける。
開口部の周囲に水漏れしないように伸縮性のあるゴムを設ける。
手首の開口部の周囲にも同じように水漏れしないように伸縮性のあるゴムを設ける。
以上のように構成された手袋。
【発明の効果】
【０００５】  本発明は人差指以外に水が直に触ることなく仕事ができ、左右使用可能である。
【発明を実施するための最良の形態】
【０００６】  以下、本発明を実施するための最良の形態について説明する。
（イ）手袋本体（１）の人差指を切り取り、切り取り部（２）を設ける。
（ロ）開口部の周囲に水漏れしないように伸縮性のあるゴム（３）を設ける。
（ハ）手首の開口部の周囲にも同じように水漏れしないように伸縮性のあるゴム（４）を設ける。
本発明は以上のような構成である。
これを使用するときは、水を使用する前に、本発明の手袋をはめ、人差指部（２）と手首のくるぶし部に水漏れがないか確かめてから使用する。
【図面の簡単な説明】
【０００７】
【図１】  本発明の使用状態を示した斜視図である。
【符号の説明】
【０００８】  １  手袋本体
２  切り取り部
３  伸縮性のゴム（人差指部）
４  伸縮性のゴム（手首くるぶし部）
【図１】
2009114605.tif 000003
(57)【要約】      （修正有）【課題】津波・台風等の来襲波に対して消波力が大きく、海岸や水域の防災に寄与する事。【解決手段】海岸護岸構造物の前面に杭を打ち、その間隙や前後左右に幾重にも金網や篭を積み重ね連結金物で連結する、それらを取り付け金物で杭に固定する、その構造物内部で乱流を起こさせて消波及び反射を減少させる。杭、金網、篭の材料は金属製が適当であるが合成材又は木製でも良い。管理上取り替えが容易に出来る材料で施工する消波構造物である。【選択図】図３
2009114636.tif 000002
【特許請求の範囲】
【請求項１】
護岸の前面に杭を打ち、その間隙や前後左右に金網及び篭を積み重ね連結金物で連結する、それらを取り付け金物で杭に固定して構築する消波構造物。
【発明の詳細な説明】
【技術分野】
【０００１】
この発明は海岸護岸に於いて消波を行い津波や台風時等の反射や振動及び沿岸流を少なくして、水域の流速や波高を減少し、海岸防災を行う消波構造物である。
【背景技術】
【０００２】
昔からの海岸構造物は海岸に護岸石積等を築造し、その背後に木竹で防潮林を設け、浸水を最小限に止め人命・財産を守った。
【０００３】
後に海岸構造物はコンクリートや練石積みを築造し、その前面に消波ブロックを設ける
防護工となり、近年は沖合に離岸堤や防波堤を設けて水域の波高の安定をはかっている。
【０００４】
現在我が国では、高潮対策・津波対策・侵食対策等の防災事業が盛んに行はれているが護岸に激突した波が反射や流れとなってＶ字湾の奥まった地域に到達し、危険状態が続いている箇所も見受けられ、早急な対策工が必要である。
【０００５】
港湾の海岸構造物基準の波高は有義波高を採用しているが、被災はｍａｘ波高により起こり得るものである。その外、種々の自然条件により被災が多発している地域もある。特
に大被害を起こしているのは、津波や台風の流れによる被害が多い。
【０００６】
海岸管理者は海岸法等に於いて津波防災の責務を果たすよう義務づけられているが、完全な防災までは程遠い。現在ハード面の対策工が進まない事情には、予算面や技術面の問題も多々あり、安価で安心の出来る工法が必要である。
【特許文献１】特開２００６−３０７４６３号公報  この工法は、防波堤による波の消波工法で、問題は高価な事と腐蝕に対する管理の問題があるが、このような工法は海岸護岸の激突波に対しての考慮も必要である。
【特許文献２】実公昭４６−４１９１号公報  この工法は、上記の様な防波堤工法の消波工として効果があるが、湾内等海岸の津波来襲波に対しての考えと管理上に問題点がある。
【特許文献３】実開昭５２−９６５２７号公報  護岸前面の消波工法で、激突波を弱める効果が高い。
【特許文献４】特開２００２−２２７１６５号公報  護岸前面に防潮林の様に施工する消波及び飛砂防止工法で施工評価も高い。
【発明の開示】
【発明が解決しようとする課題】
【０００７】
前記特願２００５−２８８９３及び実願昭４４−２９７０９は消波効果も高いが価格も高く、津波や台風等に対しても湾内水域の安定を図るのに効果があるが津波等の海岸反射波や沿岸流に対しての対策が必要である。
【０００８】
実願昭５２−９６５２７及び特願２００１−２２６１４は護岸前面での消波工法であるが、更に改良していく事が望ましい。
【０００９】
遠地地震津波等で反射波により何回も満ち引きが続いたが、気象庁や研究家の間でも見逃すことがあった。長時間に及ぶ津波では奥まった湾内の防波堤等ではけ口を遮られ、潮位は次々と上昇して行き、長時間浸水した例もある。これ等の対策が必要である。
【００１０】
台風や津波時にはコンクリート護岸等では流れが速く係留船の激突が多く、莫大な損害を被っている。
【００１１】
港湾の海岸築造基準で施工された構造物も激突波と劣化で早くも許容値を超えた施設が出ている箇所も見受けられ、早急な対策が必要である。
【課題を解決するための手段】
【００１２】
防波堤の劣化対策として管理や補修にかかる費用が莫大である。護岸前面の砂浜等に主として施工するほうが経済的で消波効果が高い。
【００１３】
護岸前面の消波工法２件は、先に説明した工法を本発明で更に改良した工法である。
【００１４】
遠地地震津波ではチリ地震津波があり、大きな被害をもたらした。護岸前面で対応策を行う事で、この様な突然の津波に対しても効果が高い。
【００１５】
流れの速い護岸前面に消波工を設置する事で、船舶同士や浮遊物の激突を和らげる事が出来る。
【００１６】
護岸構造物の劣化が激しい箇所では、補修や改善は難しいが前面に本発明の消波工を設置する事で解決に寄与出来る。
【００１７】
海岸構造物は劣化及び腐蝕が早く補修等が簡易である事が望まれる。本発明は増設、或いは補修が容易に出来る特徴をもつ構造物である。
【発明の効果】
【００１８】
来襲波に対して幾重にも設置された金網又は篭等で消波され、護岸の補強と共に越波が少なくなるため海岸保全に役立つ。
【００１９】
反射波や流れ又は波高が減じられ、Ｖ字湾の奥まった地点の波高・波圧・流速を減少し、潮位のそじょう波を低くする事が出来る。
【００２０】
船舶や水域の浮遊物の激突の被害を少なくし、海岸及び陸上構造物の破損被害を減少さす事が出来る。
【００２１】
構造物の管理が容易に出来、本発明の効果は前記に述べた通りであり、高潮・津波等の陸上への被害は最小限に止める効果がある。
【発明を実施するための最良の形態】
【００２２】
この発明は津波や津波や台風当の波の流れ・波高・波圧等の減少をはかる為実施図３により説明する、海岸の護岸６の前面に杭１を打ち、その間隙や前後左右に幾重にも金網及び篭２を積み重ね連結金物４で連結し、取り付け金物３で杭１に固定する、それらの構造物内部で来襲波に乱流を起こさせる事で消波及び反射を減少する構造物である。
【００２３】
施工後劣化や被災を被る事があるので各部材は管理上取替えの簡易な材料とし、長さや幅、高さ、杭の大きさ等は現地に応じた構造とする。
【００２４】
杭は鋼材が適当であるが合成材或いは現地の状況により木材でも良い、金網・篭は一般に市販されている金網や蛇篭・フトン篭等を組み立て連結金物で流失されない様に組み立て、杭に取り付け金物で固定する。
【００２５】
劣化や被災を考慮して構造物上部や間隙・前後左右に管理上補強・取替えの出来る構造とする。
【図面の簡単な説明】
【００２６】
【図１】この発明の下部平面図
【図２】同じく上部平面図
【図３】同じく側面図
【図４】同じく正面図
【符号の説明】
【００２７】
１  杭
２  金網又は篭
３  取り付け金物
４  連結金物
５  消波工
６  在来護岸
７  流れ
８  浮遊激突物
９  地盤線
【図１】
2009114636.tif 000003
【図２】
2009114636.tif 000004
【図３】
2009114636.tif 000005
【図４】
2009114636.tif 000006
(57)【要約】【課題】  粉状又は顆粒状のＮ−アシル−アミノ酸アルカリ塩を脂肪酸アルカリ塩によって固形状に粘結したＮ−アシル−アミノ酸アルカリ塩洗浄剤を提供する。【解決手段】  粉状又は顆粒状のＮ−アシル−アミノ酸アルカリ塩の粘結剤として今日まで使用されている高級アルコール類は洗浄力がないので当然に製品の洗浄性は減少する。  高級アルコール類の代わりに炭素数１０から炭素数２２の飽和，不飽和の脂肪酸アルカリ塩、石けん素地を単独或いは複数の組み合わせで粘結剤として使用し、洗浄力の優れた固形のＮ−アシル−アミノ酸アルカリ塩洗浄剤を製造することを特徴とする。【特許請求の範囲】
【請求項１】
（１）Ｎ−アシル−アミノ酸アルカリ塩を、脂肪酸アルカリ塩を用いて粘結した固形洗浄剤。
（２）アシル基が炭素数１２から１８の飽和、不飽和の脂肪酸基、ヤシ油脂肪酸基、パーム核油脂肪酸基、パーム脂肪酸基、牛脂脂肪酸基の中から選ばれた単独或いは複数の組み合わせからなる特許請求範囲（１）記載の固形洗浄剤。
（３アミノ酸が、グルタミン酸、グリシン，アラニンの中からから選ばれた単独或いは複数の組み合わせからなる特許請求範囲（１）記載の固形洗浄剤。
（４）脂肪酸アルカリ塩が、炭素数１０から２２の飽和脂肪酸アルカリ塩、不飽和脂肪酸アルカリ塩、天然油脂由来の脂肪酸アルカリ塩（以下石けん素地と言う）の中から選ばれた単独或いは複数の組み合わせからなる特許請求範囲（１）記載の固形洗浄剤。
（５）Ｎ−アシル−アミノ酸アルカリ塩と脂肪酸アルカリ塩のアルカリが、カリウム、ナトリウム、トリエタノールアミン、ジエタノールアミン、モノエタノールアミンの中から選ばれた単独或いは複数の組み合わせからなる特許請求範囲（１）記載の固形洗浄剤。
【発明の詳細な説明】
【技術分野１】
【０００１】  この発明は、粉状又は顆粒状のＮ−アシル−アミノ酸アルカリ塩を脂肪酸アルカリ塩を用いて固形状に粘結する技術に関するものである。
【背景技術】
【０００２】  従来、固形状のＮ−アシル−アミノ酸アルカリ塩洗浄剤においては高級アルコール（例えばセタノール）が粉状又は顆粒状のＮ−アシル−アミノ酸アルカリ塩の粘結剤として用いられて来た。
【発明の開示】
【発明が解決しようとする課題】
【０００３】  これには、次のような欠点があった。  高級アルコール類は基本的に洗浄力を持っていないので、粘結剤の配合率に比例してＮ−アシル−アミノ酸アルカリ塩の洗浄効果を減ずるのみであった。
【課題を解決するための手段】
【０００４】  高級アルコール類の代わりに炭素数１０から炭素数２２の飽和、不飽和脂肪酸アルカリ塩及び石けん素地を粘結剤として使用する。
【発明の効果】
【０００５】  炭素数１０から炭素数２２の飽和、不飽和脂肪酸アルカリ塩は洗浄作用があり、    なかんずく石けん素地は優秀な洗浄剤であるから、Ｎ−アシル−アミノ酸アルカリ塩の粘結剤として用いても洗浄作用を増すことはあっても損なうことはなく、優れた固形洗浄剤を提供できる。
【発明を実施するための最良の形態】
【０００６】  以下、本発明を実施するための最良の形態について説明する。
粉状又は顆粒状のＮ−アシル−アミノ酸アルカリ塩と脂肪酸アルカリ塩、石けん素地を混練した後、押出し機から圧出すると可塑性のある棒状になる。これを成形すると固形状洗浄剤が得られる。
配合比率は、Ｎ−アシル−アミノ酸アルカリ塩の１００部に対して炭素数１０から炭素数２２の飽和、不飽和脂肪酸アルカリ塩類及び石けん素地を単独又は複数組み合わせたものを３部以上使用するが水溶液のＰＨを低く抑えるためには２０部以内に止めると良い。
炭素数１０から炭素数２２の飽和、不飽和脂肪酸アルカリ塩及び石けん素地のアルカリは製品の硬度から見てナトリウムが最適で、カリウム及び有機アミン類はやや軟質な製品となる。
市販の石けんに広く利用されている保湿剤、過脂肪剤、香料、色素、多価アルコール類なども本製品の性能を損なわない範囲で添加することができる。
【実施例】
【０００７】
2009114420.tif 000002
2009114420.tif 000003
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
Ｎ−アシル―アミノ酸アルカリ塩を脂肪酸アルカリ塩を用いて粘結してなることを特徴とする洗浄剤。
【請求項２】
アシル基が炭素数１２から１８の飽和或いは不飽和の脂肪酸基、ヤシ油脂肪酸基、パーム核油脂肪酸基、パーム脂肪酸基、牛脂脂肪酸基の中から選ばれた単独或いは複数の組み合わせからなる請求項１記載の洗浄剤。
【請求項３】
アミノ酸がグルタミン酸、グリシン、アラニンの中から選ばれた単独或いは複数の組み合わせからなる請求項１または２記載の洗浄剤。
【請求項４】
前記脂肪酸アルカリ塩が炭素数１０から２２の飽和脂肪酸アルカリ塩または不飽和脂肪酸アルカリ塩、天然油脂由来の脂肪酸アルカリ塩（ナトリウム塩を以下石けん素地という）の中から選ばれた単独或いは複数の組み合わせでなることを特徴とする洗浄剤。
【請求項５】
Ｎ−アシル―アミノ酸アルカリ塩と脂肪酸アルカリ塩のアルカリがカリウム、ナトリウム、トリエタノールアミン、ジエタノールアミン、モノエタノールアミンの中から選ばれた単独或いは複数の組み合わせからなる請求項１ないし４記載の洗浄剤。
【手続補正２】
【補正対象書類名】明細書
【補正対象項目名】０００４
【補正方法】変更
【補正の内容】
【０００４】
Ｎ−アシル―アミノ酸アルカリ塩を脂肪酸アルカリ塩を用いて粘結する。
(57)【要約】      （修正有）【課題】短時間で容易に画像、音声等を差し替え、独自のオペレーティングシステムが構築できるようにする。【解決手段】インストールを容易にするためにはオペレーティングシステムのファイルを含んだインストール用ＤＶＤＲＯＭ若しくはＣＤＲＯＭに、ＯＳ上からＦＤＩＳＫによるパーティション分割と、ＤＤコマンドによるファイルの書き込みができるような簡単なプログラムを追加する。また、オペレーティングシステムインストール後にビデオコーデック等様々なオープンソース、または商用ソフトウェアを一括インストールできる簡単なプログラムを組んだ「スタートボタン」を設ける。【選択図】なし【特許請求の範囲】
【請求項１】
デスクトップＰＣ用オペレーティングシステムにキャラクターマーチャンダイジングの手法を取り入れ、キャラクターの魅力や世界観をブート画面、ガイド音声、映像等に盛り込むことにより、より多くの人々へのアプローチを狙ったビジネスモデル。
【請求項２】
ＷＩＮＤＯＷＳのデスクトップ画面からインストールＤＶＤを入れるだけでパーティション分割、システムが入っていないドライブへのオペレーティングシステムファイルコピー、ブートローダのコピー、ソフトのコピーという一連の作業を行うことができるユーザーフレンドリーなオペレーティングシステム。
【請求項３】
オペレーティングシステムのインストール後に、プログラムが組まれた「スタートボタン」をクリックすることにより、必要なソフトを一括でインストールすることのできるＬＩＮＵＸオペレーティングシステムをベースとしたオペレーティングシステム。
【発明の詳細な説明】
【技術分野】
【０００１】本発明は、キャラクターマーチャンダイジングの手法を取り入れたオペレーティングシステムのビジネスモデルであり、またそのインストールの際の機構に関するものである。
【背景技術】
【０００２】ＧＰＬのライセンスに則ったオペレーティングシステムであるＬＩＮＵＸ、又はそれから派生したディストリビューションをベースにすることで、短時間で容易に画像、音声等を差し替え、独自のオペレーティングシステムの構築が可能である。【０００３】ＤＤコマンドを使用することにより、他オペレーティングシステム上からもオペレーティングシステムのファイルを元々システムのあったドライブと別のドライブへ書き込むことが可能である。【０００３】ＦＤＩＳＫ等のパーティション分割ソフトを使用することにより、容易にパーティション分割が可能となる。
【発明の開示】
【発明が解決しようとする課題】
【０００４】従来、キャラクターマーチャンダイジングを利用した商品は多数存在したが、オペレーティングシステムそのものにキャラクターを組み込んだ商品については報告がされなかった。その理由としては多額の開発費、一般消費者にとってインストールが容易ではなかったこと、Ｌｉｎｕｘオペレーティングシステムに各種ソフトをインストールする作業が難解であること、が挙げられる。
【課題を解決するための手段】
【０００５】開発費に関しては、オペレーティングシステムのベースとしてＧＰＬのライセンスに則ったＬｉｎｕｘオペレーティングシステム又はそこから派生した各種ディストリビューションを利用することにより、大幅に削減が可能である。インストールを容易にするためにはオペレーティングシステムのファイルを含んだインストール用ＤＶＤＲＯＭ若しくはＣＤＲＯＭに、ＷＩＮＤＯＷＳ上からＦＤＩＳＫによるパーティション分割と、ＤＤコマンドによるファイルの書き込みができるような簡単なプログラムを追加する。また、オペレーティングシステムインストール後にビデオコーデック等様々なオープンソース、または商用ソフトウェアを一括インストールできる簡単なプログラムを組んだ「スタートボタン」を設ける。利用規約を読ませることにより、法的な問題は生じない。
(57)【要約】      （修正有）【課題】硬貨を容易に選別するための硬貨選別器を提供する。【解決手段】容器の底に選別したい硬貨は残るがより小さい硬貨は通過する孔を設け、複数の容器を重ね、複数の硬貨を選別可能とした硬貨選別器である。【選択図】図１
2009043215.tif 000002
【特許請求の範囲】
【請求項１】
選別したい硬貨は残るがより小さい硬貨は通過する孔を設けた容器を特徴とする硬貨選別器である。
【発明の詳細な説明】
【技術分野】
【０００１】    本発明は  硬貨を容易に選別するための、電気を使わない硬貨選別機に関するもので    ある。
【背景技術】
【０００２】      従来提供されている硬貨選別器で電気を使用しないものでは  硬貨を１個ずつ挿入    して大小の孔を利用して選別する選別器がある。
【発明の開示】
【発明が解決しようとする課題】
【０００３】    前記選別器には次のような問題点があった。
（イ）    少しの機器の傾きや振動で選別不可能となる。
（ロ）    硬貨を大きさで一個ずつ選別するため機器が大きくなる。
本製品は  以上の問題を解決しようとするものである。
【課題を解決するための手段】
【０００４】  容器の底に選別したい硬貨が残るがより小さい硬貨は通過する孔を設け、複数の容器を重ね、複数の硬貨の選別を可能とした硬貨選別器である。
【発明の効果】
【０００５】  本発明は、一度に複数個の硬貨を投入可能であり  容器を軽く振ることにより硬貨を選  別可能となる。また  大きさ形状形態を任意に変えることができる。
【発明を実施するための最良の形態】
【０００６】    以下、本発明の実施の形態を説明する。
容器の底に選別したい硬貨が残り且つより小さい硬貨は通過する孔を設ける。上に選別したい大きな硬貨の容器  下には小さな硬貨の容器と順に重ねていくと  各容器に硬貨が選別可能となる。一番下の容器に孔は無く一番小さな硬貨を収納する。
【図面の簡単な説明】
【０００７】
【図１】本発明の３種類の硬貨を選別する状態の斜視図
【図２】本発明の容器１個の斜視図
【符号の説明】
【００８】        １  容器
２  選別孔
３  収納容器
【図１】
2009043215.tif 000003
【図２】
2009043215.tif 000004